(57)【要約】【課題】高温の水蒸気で衣類を傷めることなく、投入エネルギーに対して脱臭効率を高めることができることを目的とする。【解決手段】微細水滴の供給と循環送風を交互に複数回繰り返して衣類１４の脱臭を行い、循環送風の運転時には衣類１４の方向に送風し、微細水滴生成の運転時には衣類１４以外の方向に微細水滴を供給するもしくは、循環送風の運転時には衣類１４の以外の方向に送風し、微細水滴生成の運転時には衣類１４の方向に微細水滴を供給することにより、衣類１４に付着している臭気を吸着した微細水滴を効率的に除去することができるので、高温の水蒸気で衣類１４を傷めることなく、かつ、短時間で脱臭できるため、投入エネルギーに対して効率性を高めることができる浴室暖房乾燥機を提供できる。【選択図】図１
2010227307.tif 000002
【特許請求の範囲】
【請求項１】
本体に、浴室内に空気を送風する送風手段および送風風路と、空気を加熱する空気加熱手段と、微細な水滴を生成する微細水滴生成手段および微細水滴生成風路と、前記浴室内の空気を排気する換気風路と、前記浴室内に空気を吹き出す吹出口と、前記送風手段および前記空気加熱手段および前記微細水滴生成手段の動作を制御する制御手段とを備え、前記微細水滴生成手段および前記送風手段によって前記浴室内に微細水滴を供給したのち、前記送風手段によって前記浴室内の空気を循環送風して対象物の脱臭を行う装置において、前記微細水滴の供給と前記循環送風を交互に複数回繰り返して前記対象物の脱臭を行い、前記循環送風の運転時には前記対象物の方向に送風し、前記微細水滴生成の運転時には前記対象物以外の方向に前記微細水滴を供給することを特徴とする浴室暖房乾燥機。
【請求項２】
前記循環送風の運転時には前記対象物の以外の方向に送風し、前記微細水滴生成の運転時には前記対象物の方向に前記微細水滴を供給することを特徴とする浴室暖房乾燥機。
【請求項３】
前記送風風路と前記微細水滴生成風路のそれぞれ内部に、開閉ダンパーを備えたことを特徴とする請求項１または２に記載の浴室暖房乾燥機。
【請求項４】
前記送風風路と前記微細水滴生成風路との先に合流風路を設け、前記送風風路および前記微細水滴生成風路と前記合流風路との接続部に、風路の切り替えを行う切り換えダンパーを設けたことを特徴とする請求項１または２に記載の浴室暖房乾燥機。
【請求項５】
前記送風風路に前記微細水滴生成手段を設け、前記送風風路と前記微細水滴生成風路を同一風路とすることを特徴とする請求項１から３のいずれかに記載の浴室暖房乾燥機。
【請求項６】
前記吹出口に、気流制御手段を設けたことを特徴とする請求項１または２に記載の浴室暖房乾燥機。
【請求項７】
前記気流制御手段を、方向を変更する可変風向ルーバーを設けたことを特徴とする請求項６記載の浴室暖房乾燥機。
【請求項８】
前記可変風向ルーバーを、複数の可変風向ルーバー用吹出口を設け、前記可変風向ルーバー用吹出口のそれぞれに可変風向用ダンパーを設けたことを特徴とする請求項７記載の浴室暖房乾燥機。
【請求項９】
複数の前記可変風向用吹出口のそれぞれを独立して動作させたことを特徴とする請求項８記載の換気装置。
【請求項１０】
前記本体に、対象物を検知する対象物検知手段を設けたことを特徴とする請求項１または２に記載の浴室暖房乾燥機。
【請求項１１】
前記換気風路内に、臭気成分を検知する臭気検知手段を設けたことを特徴とする請求項１または２に記載の浴室暖房乾燥機。
【請求項１２】
微細水滴生成の運転中に、循環送風の運転および換気運転を一定時間以上同時に行うことを特徴とする請求項１または２に記載の浴室暖房乾燥機。
【発明の詳細な説明】
【技術分野】
【０００１】
本発明は、脱臭効果を高め、揮散した臭気による再汚染を防止する脱臭装置を有する浴室暖房乾燥機に関する。
【背景技術】
【０００２】
従来、この種の脱臭装置として、専用の収納庫を用いた衣類脱臭装置が知られている（例えば、特許文献１参照）。
【０００３】
以下、その衣類脱臭装置について図２を参照しながら説明する。
【０００４】
図７に示すように、衣類脱臭装置１０１は収納庫１０２と収納庫内に設けられた吸い込み口１０３と、収納庫内に空気を吹き出すための吹き出し口１０４と、空気を送風するための送風機１０５と、収納庫１０２から吸引された空気を除湿する除湿手段１０６と、収納庫１０２内に高温の蒸気を供給するための高温蒸気発生手段１０７と、収納庫１０２内の空気を加熱するための空気加熱手段１０８と、収納庫内に衣類を吊り下げ保持するためのハンガー体１０９から構成される。収納庫１０２内に脱臭対象物となる衣類をハンガー体１０９に吊り下げ、収納庫１０２内が所定の温度に達するまでの間、送風機１０５と空気加熱手段１０８を運転し、収納庫１０２内を加熱する。その後、除湿手段１０６と高温蒸気発生手段１０７の運転を開始し、収納庫１０２内を高温多湿（例えば６０℃から７０℃）にし、衣類から臭気成分を脱着し、収納庫１０２の外へ排出するというものである。
【特許文献１】特許第３１０６５３７号公報
【発明の開示】
【発明が解決しようとする課題】
【０００５】
このような従来の脱臭装置では、高温の水蒸気を使用するため、衣類が濡れやすく収縮などの傷みが発生しやすく、また、高温の水蒸気を発生させるために多大なエネルギーを必要とするため、投入エネルギーに対して脱臭効率が低いという課題がある。
【０００６】
また、専用の装置、収納庫が必要となり、設置場所を要するという課題がある。
【０００７】
本発明は、このような従来の課題を解決するものであり、高温の水蒸気で衣類を傷めることなく、投入エネルギーに対して脱臭効率を高めることができる浴室暖房乾燥機を提供することを目的とする。
【課題を解決するための手段】
【０００８】
本発明の浴室暖房乾燥機は、上記目的を達成するために、本体に、浴室内に空気を送風する送風手段および送風風路と、空気を加熱する空気加熱手段と、微細な水滴を生成する微細水滴生成手段および微細水滴生成風路と、前記浴室内の空気を排気する換気風路と、前記浴室内に空気を吹き出す吹出口と、前記送風手段および前記空気加熱手段および前記微細水滴生成手段の動作を制御する制御手段とを備え、前記微細水滴生成手段および前記送風手段によって前記浴室内に微細水滴を供給したのち、前記送風手段によって前記浴室内の空気を循環送風して対象物の脱臭を行う装置において、前記微細水滴の供給と前記循環送風を交互に複数回繰り返して前記対象物の脱臭を行い、前記循環送風の運転時には前記対象物の方向に送風し、前記微細水滴生成の運転時には前記対象物以外の方向に前記微細水滴を供給するものである。
【０００９】
また、他の手段は、前記循環送風の運転時には前記対象物の以外の方向に送風し、前記微細水滴生成の運転時には前記対象物の方向に前記微細水滴を供給するものである。
【００１０】
また、他の手段は、前記送風風路と前記微細水滴生成風路のそれぞれ内部に、開閉ダンパーを備えたものである。
【００１１】
また、他の手段は、前記送風風路と前記微細水滴生成風路との先に合流風路を設け、前記送風風路および前記微細水滴生成風路と前記合流風路との接続部に、風路の切り替えを行う切り換えダンパーを設けたものである。
【００１２】
また、他の手段は、前記送風風路に前記微細水滴生成手段を設け、前記送風風路と前記微細水滴生成風路を同一風路とするものである。
【００１３】
また、他の手段は、前記吹出口に、気流制御手段を設けたものである。
【００１４】
また、他の手段は、前記気流制御手段を、方向を変更する可変風向ルーバーを設けたものである。
【００１５】
また、他の手段は、前記可変風向ルーバーを、複数の可変風向ルーバー用吹出口を設け、前記可変風向ルーバー用吹出口のそれぞれに可変風向用ダンパーを設けたものである。
【００１６】
また、他の手段は、複数の前記可変風向用吹出口のそれぞれを独立して動作させたものである。
【００１７】
また、他の手段は、前記本体に、対象物を検知する対象物検知手段を設けたものである。
【００１８】
また、他の手段は、前記換気風路内に、臭気成分を検知する臭気検知手段を設けたものである。
【００１９】
また、他の手段は、微細水滴生成の運転中に、循環送風の運転および換気運転を一定時間以上同時に行うものである。
【発明の効果】
【００２０】
本発明によれば、本体に、浴室内に空気を送風する送風手段および送風風路と、空気を加熱する空気加熱手段と、微細な水滴を生成する微細水滴生成手段および微細水滴生成風路と、前記浴室内の空気を排気する換気風路と、前記浴室内に空気を吹き出す吹出口と、前記送風手段および前記空気加熱手段および前記微細水滴生成手段の動作を制御する制御手段とを備え、前記微細水滴生成手段および前記送風手段によって前記浴室内に微細水滴を供給したのち、前記送風手段によって前記浴室内の空気を循環送風して対象物の脱臭を行う装置において、前記微細水滴の供給と前記循環送風を交互に複数回繰り返して前記対象物の脱臭を行い、前記循環送風の運転時には前記対象物の方向に送風し、前記微細水滴生成の運転時には前記対象物以外の方向に前記微細水滴を供給することにより、対象物に付着している臭気を吸着した微細水滴を効率的に除去することができるので、高温の水蒸気で対象物を傷めることなく、かつ、短時間で脱臭できるため、投入エネルギーに対して効率性を高めることができるという効果のある浴室暖房乾燥機を提供することができる。
【００２１】
また、前記循環送風の運転時には前記対象物の以外の方向に送風し、前記微細水滴生成の運転時には前記対象物の方向に前記微細水滴を供給することにより、前記対象物の量が少ない場合には、前記対象物に効率良く微細水滴を供給できるため、対象物に付着している臭気の吸着効果を高め、対象物を傷めることなく、かつ、少ない投入エネルギーで短時間で脱臭できるため、投入エネルギーに対して効率性を高めることができるという効果のある浴室暖房送風機を提供することができる。
【００２２】
また、前記送風風路と前記微細水滴生成風路のそれぞれ内部に、開閉ダンパーを備えたことにより、微細水滴生成の運転と循環送風の運転を細かな制御をすることができるので、高温の水蒸気で衣類を傷めることなく、投入エネルギーに対して効率性を高めることができるという効果のある浴室暖房乾燥機を提供することができる。
【００２３】
また、前記送風風路と前記微細水滴生成風路との先に合流風路１９を設け、前記送風風路および前記微細水滴生成風路と前記合流風路１９との接続部に、風路の切り替えを行う切り換えダンパーを設けたことにより、ダンパーを少なくしたことにより、少なくしたダンパー分省スペース、コストダウンが図れるとともに、高温の水蒸気で衣類を傷めることなく、投入エネルギーに対して効率性を高めることができるという効果のある浴室暖房乾燥機を提供することができる。
【００２４】
また、前記送風風路に前記微細水滴生成手段を設け、前記送風風路と前記微細水滴生成風路を同一風路とすることにより、浴室暖房乾燥機の小型化を行うことにより、低コスト化および施工性を向上させることができるという効果のある浴室暖房乾燥機を提供することができる。
【００２５】
また、前記吹出口に、気流制御手段を設けたことにより、脱臭性能を安定して得ることができ、高温の水蒸気で衣類を傷めることなく、投入エネルギーに対して効率性を高めることができるという効果のある浴室暖房乾燥機を提供することができる。
【００２６】
また、前記気流制御手段を、方向を変更する可変風向ルーバーを設けたことにより、対象物の部位による脱臭ムラを低減でき、脱臭性能を安定して得ることができ、高温の水蒸気で対象物を傷めることなく、投入エネルギーに対して効率性を高めることができるという効果のある浴室暖房乾燥機を提供することができる。
【００２７】
また、前記可変風向ルーバーを、複数の可変風向ルーバー用吹出口を設け、前記可変風向ルーバー用吹出口のそれぞれに可変風向用ダンパーを設けたことにより、対象物の位置や量により気流を制御することができるため、必要最低限の風量、運転時間で運転でき、高温の水蒸気で衣類を傷めることなく、投入エネルギーに対して効率性を高めることができるという効果のある浴室暖房乾燥機を提供することができる。
【００２８】
また、複数の前記可変風向用吹出口のそれぞれを独立して動作させたことにより、同時により広範囲に送風を行えるため、脱臭効率が向上し、高温の水蒸気で衣類を傷めることなく、投入エネルギーに対して効率性を高めることができるという効果のある浴室暖房乾燥機を提供することができる。
【００２９】
また、前記本体に、対象物を検知する対象物検知手段を設けたことにより、対象物を検知することで、対象物の位置に関係なく、常に同様の動作ができ、高温の水蒸気で衣類を傷めることなく、投入エネルギーに対して効率性を高めることができるという効果のある浴室暖房乾燥機を提供することができる。
【００３０】
また、前記換気風路内に、臭気成分を検知する臭気検知手段を設けたことにより、対象物の臭気強度によって、最適の運転時間で運転できるため、エネルギーを効率的に使用でき、脱臭ムラを低減でき、安定した脱臭効果を得ることができ、かつ、浴室内に充満した臭気を十分に除去できるため、浴室外に臭気が漏れるのを防ぎ、不快感を与えないので、高温の水蒸気で衣類を傷めることなく、投入エネルギーに対して効率性を高めることができるという効果のある浴室暖房乾燥機を提供することができる。
【００３１】
また、微細水滴生成の運転中に、循環送風の運転および換気運転を一定時間以上同時に行うことにより、常に新鮮な微細水滴が衣類を通過するため、高い脱臭効果が得られ、脱臭運転時間の短縮ができ、高温の水蒸気で衣類を傷めることなく、投入エネルギーに対して効率性を高めることができるという効果のある浴室暖房乾燥機を提供することができる。
【発明を実施するための最良の形態】
【００３２】
本発明の請求項１記載の浴室暖房乾燥機は、本体に、浴室内に空気を送風する送風手段および送風風路と、空気を加熱する空気加熱手段と、微細な水滴を生成する微細水滴生成手段および微細水滴生成風路と、前記浴室内の空気を排気する換気風路と、前記浴室内に空気を吹き出す吹出口と、前記送風手段および前記空気加熱手段および前記微細水滴生成手段の動作を制御する制御手段とを備え、前記微細水滴生成手段および前記送風手段によって前記浴室内に微細水滴を供給したのち、前記送風手段によって前記浴室内の空気を循環送風して対象物の脱臭を行う装置において、前記微細水滴の供給と前記循環送風を交互に複数回繰り返して前記対象物の脱臭を行い、前記循環送風の運転時には前記対象物の方向に送風し、前記微細水滴生成の運転時には前記対象物以外の方向に前記微細水滴を供給することとしたものであり、微細水滴生成の運転時には、対象物以外の方向に微細水滴を供給して浴室内を均一に微細水滴で満たし、また、循環送風の運転時には、対象物の方向に送風し衣類の繊維内を通過させるという作用を有する。
【００３３】
また、前記循環送風の運転時には前記対象物の以外の方向に送風し、前記微細水滴生成の運転時には前記対象物の方向に前記微細水滴を供給することとしたものであり、微細水滴生成の運転時には、対象物の方向に微細水滴を供給して対象物近傍を微細水滴で満たし、また、循環送風の運転時には、対象物以外の方向に送風し、浴室内の温度を速やかに均一にするという効果を有する。
【００３４】
また、前記送風風路と前記微細水滴生成風路のそれぞれ内部に、開閉ダンパーを備えたこととしたものであり、送風風路と微細水滴生成風路内の開閉ダンパーを、必要に応じて開閉を行うという作用を有する。
【００３５】
また、前記送風風路と前記微細水滴生成風路との先に合流風路１９を設け、前記送風風路および前記微細水滴生成風路と前記合流風路との接続部に、風路の切り替えを行う切り換えダンパーを設けたこととしたものであり、吹出の風路を統一し、微細水滴生成および循環送風の切り替えをダンパーで行うという作用を有する。
【００３６】
また、前記送風風路に前記微細水滴生成手段を設け、前記送風風路と前記微細水滴生成風路を同一風路とすることとしたものであり、送風風路と微細水滴生成風路を同一風路とし、浴室暖房乾燥機の小型化を行うという作用を有する。
【００３７】
また、前記吹出口に、気流制御手段を設けたこととしたものであり、気流の吹き出し方向を定め、対象物付近に気流を集中させるという作用を有する。
【００３８】
また、前記気流制御手段を、方向を変更する可変風向ルーバーを設けたこととしたものであり、対象物全体に気流があたるように動作させるという作用を有する。
【００３９】
また、前記可変風向ルーバーを、複数の可変風向ルーバー用吹出口を設け、前記可変風向ルーバー用吹出口のそれぞれに可変風向用ダンパーを設けたこととしたものであり、対象物の位置や量により、気流の量を調整するという作用を有する。
【００４０】
また、複数の前記可変風向用吹出口のそれぞれを独立して動作させたこととしたものであり、同時に多方向へ送風させるという作用を有する。
【００４１】
また、前記本体に、対象物を検知する対象物検知手段を設けたこととしたものであり、対象物の位置に応じて自動で気流を制御させるという作用を有する。
【００４２】
また、前記換気風路内に、臭気成分を検知する臭気検知手段を設けたこととしたものであり、対象物の臭気強度によって、脱臭運転および換気運転の時間が自動で設定されるという作用を有する。
【００４３】
また、微細水滴生成の運転中に、循環送風の運転および換気運転を一定時間以上同時に行うこととしたものであり、機器の運転停止の無駄をなくし、運転切り換え時のタイムラグをなくすという作用を有する。
【００４４】
以下、本発明の実施の形態について、図面を参照しながら説明する。
【００４５】
（実施の形態１）
図１は、本発明の浴室暖房乾燥機の構成を示す図である。
【００４６】
本体１に、浴室内に空気を送風する送風手段２および送風風路３と、空気を加熱する空気加熱手段４と、湿潤感を感じない微細な水滴を生成する微細水滴生成手段５および微細水滴吐出風路６と、浴室内の空気を排気する換気装置７と、浴室内に空気を吹き出す吹出口９と、送風手段２および空気加熱手段４および微細水滴生成手段５の動作を制御する制御手段８とで構成されている。また、送風風路３には開閉バンパー１０が、微細水滴吐出風路６には開閉バンパー１１を、それぞれの内部に設置されている。また、吹出口９に、気流制御手段としての可変風向ルーバー１２を設けている。また、換気装置７内に、臭気成分を検知する臭気検知手段１３を設けた構成となっている。
【００４７】
上記構成において、浴室内に吊るされた衣類の脱臭を行う場合、開閉バンパー１１を開き、微細水滴生成手段５により発生した微細水滴は、微細水滴吐出風路６を通り、浴室内に供給される。このとき、可変風向ルーバー１２により、風向を衣類に直接当たらない方向に制御を行うことで、浴室内が微細水滴で均一に満たされ、高温多湿（例えば３０℃から４０℃）となる。次に、開閉バンパー１１を閉じ、開閉バンパー１０を開き、送風手段２による循環送風、または空気加熱手段４を使用し、空気を加熱（例えば４０℃から５０℃）した加熱循環送風を行う。可変風向ルーバー１２により衣類の方向に送風を行うと同時に、換気装置７により、浴室内の換気を行う。水分の吸着と蒸発という工程が衣類の脱臭に関与が大きいため、長時間水滴を供給し、または循環送風するのではなく、微細水滴を供給する工程と、循環送風により吸着した水分を蒸発させる工程を繰り返す制御を行う。
【００４８】
浴室内が微細水滴で均一に満たされたことで、微細水滴を衣類に満遍なく吸着させることができ、送風運転により、可変風向ルーバー１２により衣類の方向へ制御された風が繊維内を通過するため、効率よく吸着している水分を蒸発させ、同時に臭気成分も揮発させて衣類の脱臭がなされるため、短時間で脱臭ができ、投入エネルギーに対して効率性を高めることができる。
【００４９】
また、可変風向ルーバー１２の制御を、循環送風運転時には衣類１４の以外の方向に送風し、微細水滴生成の運転時には衣類１４の方向に微細水滴を供給する制御とした場合でも同様の効果が得られる。
【００５０】
このとき、微細水滴生成の運転時には、衣類１４の方向に微細水滴を供給して衣類１４の近傍を微細水滴で満たすことができ、また、循環送風の運転時には、衣類１４以外の方向に送風し、浴室内の温度を速やかに均一にすることができるため、衣類１４に付着している臭気の吸着効果を高め、衣類１４を傷めることなく、かつ、短時間で脱臭できるため、投入エネルギーに対して効率性を高めることができることとなる。
【００５１】
また、換気運転により、衣類より脱臭され、浴室内に浮遊している臭気成分を除去できるため、臭気成分の衣類への再付着を防ぐことができる。
【００５２】
また、可変風向ルーバー１２により、風向を制御することで、衣類１４の部位による脱臭ムラを低減でき、脱臭性能を安定して得ることができる。
【００５３】
また、換気装置７内には臭気成分を検知する臭気検知手段、例えば臭いセンサーを設けており、換気運転時に外部へ排出される空気内の臭気成分を検知できるため、衣類１４の臭気強度によって、脱臭運転および換気運転の時間が自動で設定されるため、衣類１４の臭気強度によって、最適の運転時間で運転できるため、エネルギーを効率的に使用でき、脱臭ムラを低減でき、安定した脱臭効果を得ることができ、かつ、浴室内に充満した臭気を十分に除去できるため、浴室外に臭気が漏れるのを防げるため、不快感を与えないので脱臭を行うことができることとなる。
【００５４】
また、このとき、図２に示すように、送風風路３と微細水滴吐出風路６との先に合流風路１９を設け、送風風路３および微細水滴吐出風路６と合流風路１９との接続部に風路切り替えダンパー１５を設けることでも、その作用効果に差異を感じず、さらに省スペース化、コストダウンを実現できる。
【００５５】
また、微細水滴生成の運転中に、循環送風の運転および換気運転を一定時間以上同時に行う制御とすることで、機器の運転停止の無駄をなくし、運転切り換え時のタイムラグをなくすことができ、常に新鮮な微細水滴が衣類を通過するため、高い脱臭効果が得られ、脱臭運転時間の短縮ができる。
【００５６】
（実施の形態２）
実施の形態１と異なるところは、可変風向ルーバー１２の制御を、循環送風運転時には衣類１４の以外の方向に送風し、微細水滴生成の運転時には衣類１４の方向に微細水滴を供給する制御としたことである。
【００５７】
上記校正において、微細水滴生成の運転時には、少ない投入エネルギーで衣類１４の方向に微細水滴を供給して衣類１４の近傍を微細水滴で満たすことができ、また、循環送風の運転時には、衣類１４以外の方向に送風し、浴室内の温度を速やかに均一にすることができるため、衣類１４に付着している臭気の吸着効果を高め、衣類１４を傷めることなく、かつ、短時間で脱臭できるため、投入エネルギーに対して効率性を高めることができることとなる。
【００５８】
（実施の形態３）
図３において、実施の形態１および２とことなるところは、送風風路３に微細水滴生成手段５を設け、送風風路３と微細水滴吐出風路６を同一風路とし、本体に、衣類１４を検知する衣類検知手段１８を設けた構成としたことである。
【００５９】
上記構成において、微細水滴供給後に循環送風運転を行う際に、衣類１４へ向けて送風を行うと、衣類１４が吸着した水分が蒸発する際は周囲よりも温度が低下するため、衣類検知手段１８、例えばサーモセンサーの様な赤外線温度センサーを用いることで、衣類１４の位置を把握でき、その結果に応じて自動で気流を制御させることが可能となり、衣類１４の位置に関係なく、常に同様の動作ができるため、脱臭の効果を安定して得ることができ、投入エネルギーに対して効率性を高めることができることとなる。
【００６０】
また、送風風路３と微細水滴吐出風路６を同一風路としたことで、浴室暖房乾燥機の小型化を行うことができ、低コスト化および施工性を向上させることができることとなる。
【００６１】
（実施の形態４）
図４において、実施の形態１から３と異なるところは可変風向ルーバー１２に複数の風向ルーバー用吹出し口１６を設け、風向ルーバー用吹出し口１６のそれぞれに風向ダンパー１７を設けた構成としたことである。
【００６２】
上記構成により、衣類１４の位置や量により気流を制御することができるため、必要最低限の風量、運転時間で運転でき、高温の水蒸気で衣類を傷めることなく、投入エネルギーに対して効率性を高めることができることとなる。
【００６３】
（実施の形態５）
図５および図６において、実施の形態１から４と異なるところは、複数の風向ルーバー用吹出し口１６のそれぞれを独立して動作させた構成としたことである。
【００６４】
上記構成により、同時に多方向へ送風させる制御が可能となり、同時により広範囲に送風を行えるため、脱臭効率が向上し、高温の水蒸気で衣類を傷めることなく、投入エネルギーに対して効率性を高めることができることとなる。
【実施例】
【００６５】
（実施例１）
以下、本発明を実施例にて詳細に説明するが、本発明は、以下の記載に何ら限定して解釈されるものではない。
【００６６】
＜付着臭脱臭運転の評価方法＞
布に付着させた臭気の脱臭効果試験を、臭気強度による官能評価で行った。まず、布（スーツ地、ウール１００％）を縦１０ｃｍ横５ｃｍとなるように裁断し、試験片とした。これを、５０Ｌアクリル製ボックス内に吊り下げ、さらに内部でタバコ１本を燃焼させ、密閉したまま１時間静置して、試験片にタバコの臭気を付着させた。
【００６７】
臭気を付着させた試験片を、浴室内に設置した。浴室は、広さ１坪（幅１．６ｍ×奥行き１．６ｍ×高さ２．２ｍ）で、当該発明の浴室暖房乾燥機を天井に設置したユニットバスにて実施した。尚、風向の違いによる効果を比較するため、試験片を、浴室内のうち、浴室暖房乾燥機の吹出口と、浴室隅部に固定した。試験片は、衣類用ハンガーにクリップで上下を固定したものを、干し竿に吊るした。干し竿は天井から高さ２０ｃｍの位置に固定した。固定後、浴室のドアを閉じ、浴室暖房乾燥機を運転して脱臭を行った。運転方法は、はじめに微細水滴噴霧運転を１０分間、試験片に直接当たらない風向に固定して実施した後、連続して加熱循環送風運転を１０分間、試験片に直接当たるように風向をスイングさせて行った。また、脱臭運転を通して、換気装置による換気運転を実施した。
【００６８】
脱臭運転後、試験片を浴室から取り出し、無臭袋に密閉した。脱臭後の試験片は、室温が約２５℃に調整された別室にて、６段階臭気強度にて官能評価を行い、臭気強度を判定した。これらの結果を表１に示す。
【００６９】
（比較例１）
実施例１と同様に臭気を付着させた試験片を、浴室内に替え、室温を調整された別室にて同時間静置して、臭気の自然減衰による評価用サンプルとした。結果を表１に示す。
【００７０】
【表１】
2010227307.tif 000003
【００７１】
表１に示すように、比較例１は、初期に対して０．５程度の減衰であったが、実施例１では、吹出口および隅部にて、ともに初期から２ランク以上の減衰が見られ、吹出口から遠い隅部であっても、吹出口付近の試験片と同様に脱臭効果が得られた。微細水滴の噴霧方向を衣類以外の方向に向けることで、吹出口付近の衣類だけでなく、浴室内の隅部に配置された衣類においても、吹出口付近と同様に脱臭効果が得られることが確認された。
【産業上の利用可能性】
【００７２】
浴室にて、使用者の体表や頭髪に付着した臭気の脱臭、ペットの脱臭の用途にも適用でき、さらに、微細水滴では湿潤感を感じないため、浴室のみならず、部屋全体の脱臭にも適用できる。
【図面の簡単な説明】
【００７３】
【図１】本発明の実施の形態１および２の浴室暖房乾燥機を示す側面構成図
【図２】同浴室暖房乾燥機を示す側面構成図
【図３】本発明の実施の形態３の浴室暖房乾燥機を示す側面構成図
【図４】本発明の実施の形態４の浴室暖房乾燥機の可変風向ルーバーを示す斜視図
【図５】本発明の実施の形態５の浴室暖房乾燥機の風向ルーバー用吹き出し口を示す構成図
【図６】同浴室暖房乾燥機の風向ルーバー用吹き出し口を示す斜視図
【図７】従来の衣類脱臭装置を示す側面構成図
【符号の説明】
【００７４】
１    本体
２    送風手段
３    送風風路
４    空気加熱手段
５    微細水滴生成手段
６    微細水滴吐出風路
７    換気装置
８    制御手段
９    吹出口
１０  開閉バンパー
１１  開閉バンパー
１２  可変風向ルーバー
１３  臭気検知手段
１４  衣類
１５  風路切り替えダンパー
１６  風向ルーバー用吹出し口
１７  風向ダンパー
１８  衣類検知手段
１９  合流風路
【図１】
2010227307.tif 000004
【図２】
2010227307.tif 000005
【図３】
2010227307.tif 000006
【図４】
2010227307.tif 000007
【図５】
2010227307.tif 000008
【図６】
2010227307.tif 000009
【図７】
2010227307.tif 000010